(57)【要約】【課題】表示部を容易に精度良く製造することができ、容易に表示部の板体の角縁部を枠体の角部に位置決めして嵌め込むことができ、作業性が向上し、嵌め込みが確実になって品質が向上する表示装置、及び該表示装置を備えたテレビジョン受信機を提供する。【解決手段】表示装置の前キャビネット２０の横枠２０１，縦枠２０２は、連結体４０により連結されている。連結体４０は、表示パネル１０の端面と対向して表示パネル１０と平行な面内で表示パネル１０の位置を決める２つの突起部４３を有する。表示パネル１０の角縁部には、略Ｌ字状に、マット仕上げにより位置決め部１０ｂが設けられている。位置決め部１０ｂにより表示パネル１０の突起部４３，４３への位置決めを行って、前キャビネット２０に表示パネル１０が容易に確実に嵌め込まれる。【選択図】図７
2013219689.tif 000002
【特許請求の範囲】
【請求項１】
光透過性を有し、矩形状をなす板体を有する表示部と、該板体を嵌め込む枠体とを備える表示装置において、
前記板体は、平面の角縁部の少なくとも一部に、前記枠体に嵌め込むときの位置を決める位置決め部を有することを特徴とする表示装置。
【請求項２】
前記位置決め部は、マット仕上げにより形成してあることを特徴とする請求項１に記載の表示装置。
【請求項３】
前記位置決め部は、塗料を塗着してなることを特徴とする請求項１に記載の表示装置。
【請求項４】
前記位置決め部は、金属を蒸着してなることを特徴とする請求項１に記載の表示装置。
【請求項５】
前記枠体は、
矩形の各辺を構成する４つの枠部材と、該４つの枠部材の隣り合う端部同士を連結し、前記板体の角縁部が嵌め込まれる４つの連結体とを有することを特徴とする請求項１から４までのいずれか１項に記載の表示装置。
【請求項６】
前記板体はガラスを含むことを特徴とする請求項１から５までのいずれか１項に記載の表示装置。
【請求項７】
請求項１から６までのいずれか１項に記載の表示装置と、
テレビジョン放送を受信する受信部と
を備え、
前記受信部にて受信したテレビジョン放送に基づいて、前記表示装置に映像を表示するようにしてあることを特徴とするテレビジョン受信機。
【発明の詳細な説明】
【技術分野】
【０００１】
本発明は、光透過性を有し、矩形状をなす板体を有する表示部と、該板体を嵌め込む枠体とを備える表示装置、及び該表示装置を備えたテレビジョン受信機に関する。
【背景技術】
【０００２】
近年、液晶表示装置等を有する薄型テレビジョン受信機では大型化が進んでおり、５２型、６０型、７０型等の表示サイズの機種も増加している。この場合、表示サイズが大型化すると、外観を形成するキャビネット（枠体）も大型になるが、外形サイズは極力小型にしたいとの要望も強く、そのため、表示画面の周辺に位置する矩形の前キャビネットの額縁部分を狭くした狭額縁製品も発売されている。
【０００３】
一般に前キャビネットは一体フレームであり、金型によって作製される。金型の費用は大きさに比例し、大型の機種の場合は金型費用が高額になる。さらに、大型の機種を複数バリエーション展開する場合は機種数に応じて金型費用が増加する。そこで、前キャビネットを上下左右の４つの枠部材に分割し、各枠部材の端部同士を４隅部でＬ字形の連結体により連結する表示装置が提案されている。薄型テレビジョンではないが、前キャビネットを上下左右の４つの枠部材に分割して連結させたブラウン管表示装置が公知である（特許文献１参照）。具体的には、板状の枠部材の内面側にリブ（突条）を設け、連結体はリブに接するＬ字の各部分に貫通孔を有し、該貫通孔に通したタッピングネジをリブにネジ止めして枠部材と結合している。
【０００４】
液晶表示装置の場合、表示パネルとバックライトユニットとを備える。表示パネルは、互いに対向する一対のカラーフィルタ基板，ＴＦＴアレイ基板と、その間に封入された液晶層とから構成される。カラーフィルタ基板は共通電極を有し、ＴＦＴアレイ基板は画素電極を有する。液晶は、基板間に備えられたスペーサにより任意の厚みに保持されており、周囲がシール剤で密封されるとともに、各基板がシール剤により貼り合わされている。前記画素電極と共通電極との間に電圧を印加して液晶の分子配向方向を変化させ、液晶を通過する光の透過率を制御して、カラー画像が可視状態に表示される。
【０００５】
光を無駄なく透過させるという観点から、通常、カラーフィルタ基板、ＴＦＴアレイ基板ともに基板をガラス等の透光性が高い材料から構成する。
従って、表示パネルを前キャビネットに嵌め込む際に、表示パネルが透明であることから表示パネルの角縁部が視認されにくく、位置決めが難しいという問題があった。特に、上述のように４つの枠部材を４つの連結体により連結して前キャビネットを構成する場合、例えば連結体のＬ字の各辺に設けたリブに表示パネルの角縁部を係止することになるため、作業が難しくなり、表示パネルのリブへの嵌合不良が生じることがあった。
【０００６】
特許文献２には、表示パネルのガラス基板に印刷する配光膜及びシール剤層等の印刷層の周辺に予め位置決めマークを形成しておき、配光膜及びシール剤層を印刷する際に位置決めマークを基準にして印刷版の位置合わせを行うように構成された液晶表示装置の発明が開示されている。
【先行技術文献】
【特許文献】
【０００７】
【特許文献１】特開２００２−１９０９９７号公報
【特許文献２】特開平６−１８６５１５号公報
【発明の開示】
【発明が解決しようとする課題】
【０００８】
特許文献２に記載の液晶表示装置の場合、配光膜及びシール剤層ともに、ガラス基板の角縁部から所定距離内側に設けられるので、前記位置決めマークも角縁部から内側に設けられることになり、表示パネルの角縁部を前キャビネットの角部に嵌め合わせるのは従来と同様に困難であるという問題がある。
また、表示パネルの前キャビネットへの嵌め込み時以外にも、例えば２枚のガラス基板を貼り合わせる場合に容易に確実に貼り合わせることができるように、表示パネルの角縁部を画定することが要求されている。
【０００９】
本発明は、斯かる事情に鑑みてなされたものであり、表示部を容易に精度良く製造することができるとともに、容易に表示部の板体の角縁部を枠体の角部に位置決めして嵌め込むことができ、作業性が向上し、嵌め込みが確実になって品質が向上する表示装置、及び該表示装置を備えたテレビジョン受信機を提供することを目的とする。
【課題を解決するための手段】
【００１０】
本発明に係る表示装置は、光透過性を有し、矩形状をなす板体を有する表示部と、該板体を嵌め込む枠体とを備える表示装置において、前記板体は、平面の角縁部の少なくとも一部に、前記枠体に嵌め込むときの位置を決める位置決め部を有することを特徴とする。
【００１１】
本発明においては、容易に板体の角縁部を枠体の角部に位置決めして嵌め込むことができ、作業性が向上し、嵌め込みが確実になって品質が向上する。
また、角縁部が画定されているので、２枚のガラス基板を貼り合わせる場合等、表示部の製造工程においても容易に精度良く製造することができる。
【００１２】
本発明に係る表示装置は、前記位置決め部は、マット仕上げにより形成してあることを特徴とする。
【００１３】
本発明においては、板体の角縁部の光透過性が低く、角縁部が容易に視認される。
【００１４】
本発明に係る表示装置は、前記位置決め部は、塗料を塗着してなることを特徴とする。
【００１５】
本発明においては、容易に位置決め部を形成して板体の角縁部の光透過性を低くすることができる。
【００１６】
本発明に係る表示装置は、前記位置決め部は、金属を蒸着してなることを特徴とする。
【００１７】
本発明においては、板体に電極パターンを形成するとき等に、併せて位置決め部を形成することができる。
【００１８】
本発明に係る表示装置は、前記枠体は、矩形の各辺を構成する４つの枠部材と、該４つの枠部材の隣り合う端部同士を連結し、前記板体の角縁部が嵌め込まれる４つの連結体とを有することを特徴とする。
【００１９】
本発明においては、複雑な構造を有する連結体に容易に板体の角縁部を嵌め込むことができる。
【００２０】
本発明に係る表示装置は、前記板体はガラスを含むことを特徴とする。
【００２１】
本発明においては、特に視認されにくいガラス製の板体の角縁部の視認性を向上させることができる。
【００２２】
本発明に係るテレビジョン受信機は、上述のいずれかの表示装置と、テレビジョン放送を受信する受信部とを備え、前記受信部にて受信したテレビジョン放送に基づいて、前記表示装置に映像を表示するようにしてあることを特徴とする。
【００２３】
本発明においては、受信部で受信したテレビジョン放送に基づいて上述したいずれかの表示装置に映像が表示される。
【発明の効果】
【００２４】
本発明に係る表示装置によれば、板体が、平面の角縁部の少なくとも一部に位置決め部を有するので、表示部を容易に精度良くに製造することができる。また、表示部の板体の角縁部を枠体の角部に容易に位置決めして嵌め込むことができ、作業性が向上し、嵌め込みが確実になって、得られる表示装置の品質が向上する。
【図面の簡単な説明】
【００２５】
【図１】本発明の実施の形態に係るテレビジョン受信機の前側の外観斜視図である。
【図２】本発明の実施の形態に係る表示装置の一部縦断面図である。
【図３】前キャビネットの概略構成を模式的に示す正面図である。
【図４】前キャビネットの一部分解斜視図である。
【図５】図４に示す部材を組み付けた状態を示す斜視図である。
【図６】本発明の実施の形態に係る表示パネルを示す一部正面図である。
【図７】前キャビネットに表示パネルを組み付けた状態を示す一部斜視図である。
【図８】表示パネルの製造を説明するための平面図である。
【図９】図８の一部拡大図である。
【図１０】他の表示パネルを示す一部正面図である。
【図１１】他の表示パネルを示す一部正面図である。
【発明を実施するための形態】
【００２６】
以下、本発明をその実施の形態を示す図面に基づいて具体的に説明する。
図１は本発明の実施の形態に係るテレビジョン受信機（以下、ＴＶ受信機という）１の前側の外観斜視図、図２は本発明の実施の形態１に係る表示装置１００の一部縦断面図である。
【００２７】
ＴＶ受信機１は、映像を表示する表示装置１００と、表示装置１００内に配設してあり、アンテナ（不図示）から放送波を受信するチューナ２００と、表示装置１００内に配設してあり、符号化された放送波を復号するデコーダ３００とを備える。ＴＶ受信機１は、チューナ２００にて受信した放送波をデコーダ３００で復号し、復号した情報に基づいて表示装置１００に映像を表示する。ＴＶ受信機１の下部に、ＴＶ受信機１を支持するスタンド４００を設けてある。
【００２８】
表示装置１００は、前側に表示面１０ａを有する横長の矩形状の液晶表示としての表示パネル１０を備えている。表示パネル１０は、前後に縦向きに配置された前キャビネット２０及び後キャビネット３０に縦向きに収容されている。前キャビネット２０は表示パネル１０の周縁部を覆う矩形状の枠状であり、中央に矩形の開口２０ａを有する。前キャビネット２０は例えばアルミニウム材からなる。後キャビネット３０は、前側が開放された矩形のトレイ状をなし、例えば電気亜鉛めっき鋼鈑からなる。なお、前キャビネット２０及び後キャビネット３０は樹脂部材で構成してもよい。
【００２９】
前キャビネット２０及び後キャビネット３０の上下及び左右寸法は略同一であり、互いの周縁部分が対向する。表示パネル１０の上下及び左右寸法は、前キャビネット２０の開口２０ａよりも若干大きく、表示パネル１０の周縁部分は前キャビネット２０の内縁部分と対向している。
【００３０】
前キャビネット２０は、略Ｌ字形の断面を有する枠部材で構成され、中央部に開口２０ａを有し、前面に露出した矩形枠状の前板部２１と、前板部２１の外縁部分（開口２０ａと反対側の縁部分）から後側に延設された側板部２２とを備えている。前板部２１の開口２０ａの縁部分２１ａが後側に屈曲しており、この屈曲した部分の周囲に弾性部材１４が設けてある。表示パネル１０の周縁部分が弾性部材１４を介して前板部２１の内側縁部に対向することで表示パネル１０の損傷を防止している。弾性部材１４は樹脂部材（例えば高密度マイクロウレタンフォーム、ゴム又はラテックスなど）からなり、縁部分２１ａに沿って連続的又は断続的に配置してある。
【００３１】
前キャビネット２０の側板部２２の外周側には、後キャビネット３０を係止するために前側に窪んだ係止溝２２ａが設けてある。後キャビネット３０は、中央部に前側に突出した板状の凹部３１と、凹部３１の周部後端に連なる板状の周縁部３２とを有する。周縁部３２には貫通孔３２ａが形成されている。
【００３２】
断面がＬ字形の板状の金属部材で構成された光源載置部２３が設けてある。光源載置部２３のＬ字の一方側部分は前後方向に伸び、この一方側部分の内面側に光源ユニット１５が固定されている。光源載置部２３のＬ字の他方側部分はＬ字の一方側部分の後端部から外向きに伸びている。光源ユニット１５は、細長い矩形の基板１５ａと、基板１５ａ上に長手方向に沿って複数の並置されたＬＥＤ（Light Emitting Diode：発光ダイオード）１５ｂとを備えている。基板１５ａは熱伝導性の良い両面テープによって光源載置部２３に接着され、さらにネジ止めされている。
【００３３】
光源載置部２３の前端部２３ａを係止する溝部２１ｂが前板部２１の内側に設けられ、Ｌ字の他方側部分には貫通孔２３ｂが形成されている。貫通孔２３ｂを後キャビネット３０の周縁部３２の貫通孔３２ａに重ねた状態で係止ネジ２４を貫通孔３２ａ及び貫通孔２３ｂに挿通して係止溝２２ａにタッピングによって螺合させることにより、光源載置部２３を前後に挟んだ状態で前キャビネット２０と後キャビネット３０とが結合される。
【００３４】
表示パネル１０の後側に、表示パネル１０に対向する矩形の導光板１１が設けてある。導光板１１の上下及び左右寸法は表示パネル１０より若干大きい。導光板１１の前後位置はＬＥＤ１５ｂの前後位置と略同じであり、導光板１１の周面はＬＥＤ１５ｂに対向し、近接している。導光板１１の前面に、導光板１１の前面から出射された光を均一に拡散する矩形の拡散シート１２と、拡散シート１２によって拡散された光を表示パネル１０へ向けて集光する矩形の光学シート１３とが順に設けてある。光学シート１３は表示パネル１０の後面に近接している。拡散シート１２及び光学シート１３の上下及び左右寸法は導光板１１より小さい。
【００３５】
導光板１１の後面には、入射光を前方に向けて反射する反射シート１６が設けてある。反射シート１６の上下及び左右寸法は導光板１１よりも大きい。ＬＥＤ１５ｂから発せられた光は導光板１１の周面に入射し、導光板１１の内部及び反射シート１６で透過及び反射して、導光板１１の前面から出射される。出射された光は拡散シート１２及び光学シート１３を透過して表示パネル１０に至る。反射シート１６の後側に後キャビネット３０の凹部３１の底部分３１ａが位置し、底部分３１ａは反射シート１６と平行に対向し、近接している。
【００３６】
次に前キャビネット２０の構成について説明する。図３は前キャビネットの概略構成を模式的に示す正面図である。
前キャビネット２０は、矩形の長辺を構成する２つの横枠２０１と、矩形の短辺を構成する２つの縦枠２０２に分割されている。縦枠２０２の長さは横枠２０１よりも短い。横枠２０１は図２に示す略Ｌ字形の断面を有する。縦枠２０２も略Ｌ字形の断面を有するが横枠２０１と一部異なる。横枠２０１及び縦枠２０２は押出成形によって製造されるが、引き抜き成形、射出成形またプレス成形など他の方法で製造してもよい。
【００３７】
横枠２０１及び縦枠２０２の両端部は長さ方向に対して逆向きに略同じ角度で傾斜している。横枠２０１の端部の傾斜角度と縦枠２０２の端部の傾斜角度との和は略９０度である（例えば、両方の傾斜角度が４５度である等）。２つの横枠２０１を傾斜した端部が内側に向く状態で平行になるように対向配置し、２つの縦枠２０２を傾斜した端部が内側に向く状態で且つ横枠２０１と直交させて平行になるように対向配置し、矩形の４隅で隣り合う横枠２０１と縦枠２０２との端部同士を突き当てた状態で連結する連結体４０を備えている。
【００３８】
次に連結体４０及び横枠２０１と縦枠２０２との連結構成について説明する。図４は前キャビネット２０の一部分解斜視図、図５は図４に示す部材を組み付けた状態を示す斜視図である。なお、図４及び図５は正面左上隅部での連結構成を示す。正面右下隅部に配置された部材は正面左下隅部に配置された部材と左右対称であり、正面右上隅部に配置された部材は正面右下隅部に配置された部材と左右対称である。
【００３９】
連結体４０は、横枠２０１に結合される横板部４０１と、縦枠２０２に結合される縦板部４０２とを有し、横板部４０１と縦板部４０２により前後方向視で略Ｌ字形をなす。横板部４０１に、横枠２０１の長手方向に板部の端縁から内側へ凹状に切り欠いた切欠部４１が形成されている。縦板部４０２に、縦枠２０２の長手方向に板部の端縁から内側へ凹状に切り欠いた切欠部４２が形成されている。
【００４０】
横枠２０１には、横枠２０１の長手方向に沿って切欠部４１に嵌入する突条部２５が形成されている。同様に、縦枠２０２には、縦枠２０２の長手方向に沿って切欠部４２に嵌入する突条部２６が形成されている。
【００４１】
Ｌ字状の連結体４０は、内縁側に表示パネル１０の周縁部の前側に位置する縁板部４９を有している。横板部４０１の切欠部４１より内側の縁板部４９には、後方へ突出した横長状の突起部４３が設けてあり、突起部４３の後側端部は面取部４３ａとなっている。縦板部４０２の切欠部４２より内側の縁板部４９には、後方へ突出した縦長状の突起部４３が設けてあり、突起部４３の後側端部は面取部４３ａとなっている。
【００４２】
横板部４０１の切欠部４１より外側の部分には、後方へ突出した横板状の突出片４４が設けてある。なお、光源載置部２３は、突出片４４の外側の面に接している。
【００４３】
縦板部４０２の切欠部４２より外側の部分には、板部５０が後方へ突出し、該板部４８の外側側面に上下方向向きの板面を有する板状の突出片４５が設けてあり、突出片４５には貫通孔４５ａが形成されている。
【００４４】
縦枠２０２には、板状の突出片４５の板厚より若干広い間隔で前後方向に対向した２つの板部２７，２８が設けてある。後側の板部２８は一部に欠落部２８ａを有し、前側の板部２７には欠落部２８ａの位置に対応させてネジ孔２７ａが形成されている。
【００４５】
突条部２５が切欠部４１に嵌合されて突条部２５の先端部２５ａが切欠部４１の奥側端部４１ａに当接することにより、横枠２０１と連結体４０との横枠２０１の長手方向での位置決めがなされる。
【００４６】
同様に、突条部２６の先端部２６ａが切欠部４２の奥側端部４２ａに当接することにより、縦枠２０２と連結体４０との縦枠２０２の長手方向での位置決めがなされる。そして、このように位置決めした状態でネジ４７を板部２８の欠落部２８ａ及び突出片４５の貫通孔４５ａを通して板部２７のネジ孔２７ａにネジ止めすることにより、連結体４０と縦枠２０２とが結合される。
【００４７】
Ｌ字状の連結体４０の内側角部に、縁板部４９と同じ面方向を有し、縁板部４９に連なる矩形板状の隠蔽部４６が内側に延設されている。
【００４８】
図６は、表示パネル１０を示す一部正面図である。
表示パネル１０は、互いに対向する一対のガラス製の基板を有するカラーフィルタ基板７０（図６の背面側），ＴＦＴアレイ基板６０と、その間に封入された液晶層（図示せず）とから構成される。カラーフィルタ基板７０が表示装置１００の前側に配される。カラーフィルタ基板７０は共通電極を有し、ＴＦＴアレイ基板６０は画素電極を有する（図示せず）。液晶は、カラーフィルタ基板７０，ＴＦＴアレイ基板６０間に備えられたスペーサ（図示せず）により任意の厚みに保持されており、周囲がシール剤からなるシール剤層７４（図９参照）により密封されるとともに、各基板がシール剤層７４により貼り合わされている。そして、カラーフィルタ基板７０，ＴＦＴアレイ基板６０は、シール剤層７４の内側に表示領域７８，６８を有する。
【００４９】
表示パネル１０の角縁部、すなわちＴＦＴアレイ基板６０の角縁部には、略Ｌ字状に位置決め部１０ｂが設けられている。位置決め部１０ｂは、例えばブラスト加工等によってすりガラス状にマット仕上げしてなる。位置決め部１０ｂは表示領域６８の外側の非表示領域内に、端縁部に近接して設けてある。位置決め部１０ｂのＬ字の各辺の長さは、表示装置１００の大きさに対応する突起部４３の長さに対応させる。一例として、Ｌ字の各辺の長さが２０〜３０ｍｍ、幅が５ｍｍである場合が挙げられる。位置決め部１０ｂは他部より光透過性が小さく、表示パネル１０の角縁部が視認されやすくなっている。
【００５０】
図７は、前キャビネット２０に表示パネル１０を組み付けた状態を示す一部斜視図である。
表示パネル１０の端部を位置決め部１０ｂにより確認しつつ突起部４３，４３の面取部４３ａ，４３ａによって案内しながら、表示パネル１０の端面が前キャビネット２０の突起部４３，４３の側面と対向し、表示パネル１０の周縁部の前側に縁板部４９，４９が位置する状態にセットする。この後、表示パネル１０の後面に、光学シート１３、拡散シート１２、導光板１１及び反射シート１６を順次重ね、さらに後キャビネット３０を重ねた状態で後キャビネット３０を前キャビネット２０にネジ止めすることにより、表示装置１００が作製される。
【００５１】
本実施の形態においては、位置決め部１０ｂにより表示パネル１０の突起部４３，４３への位置決めが容易になっており、表示パネル１０を確実に突起部４３，４３間に嵌め込むことができる。従って、表示装置１００の組み立ての作業性が向上し、品質が向上する。
【００５２】
なお、位置決め部１０ｂは角縁部を画定できればよく、Ｌ字状に連続して形成される場合に限定されない。位置決め部１０ｂを断続的に設けた複数の部分から構成することにしてもよい。この場合、少なくとも角の中心部に対応させて位置決め部を設けるのが好ましい。
また、位置決め部１０ｂをＴＦＴアレイ基板６０に設ける場合には限定されず、カラーフィルタ基板７０に設けることにしてもよく、両方の基板に設けることにしてもよい。
そして、表示パネル１０は、横枠２０１と縦枠２０２とが連結体４０によって連結された前キャビネット２０に嵌め込む場合に限定されるものではない。初めから一体化されている前キャビネット２０にも用いることができ、前キャビネット２０に用いる場合と同様に、容易に確実に表示パネル１０を前キャビネット２０の角部に嵌め込むことができる。
さらに、カラーフィルタ基板７０，ＴＦＴアレイ基板６０の基板がガラス製である場合には限定されず、基板は光透過性が良好である合成樹脂製であってもよい。この場合も位置決め部１０ｂを設けることにより、表示パネル１０の角縁部の視認性が向上する。
【００５３】
また、位置決め部１０ｂは、表示パネル１０の前キャビネット２０への嵌め込み時以外に、表示パネル１０の製造工程においても用いることができる。
図８は表示パネルの製造を説明するための平面図、図９は図８の一部拡大図である。図中、マザー基板７１の表側にマザー基板６１を配しているものとする。
マザー基板７１は４枚のカラーフィルタ基板７０を含んでおり、それぞれの表示領域７８には画素に対応して配列されたカラーフィルタ及び対向電極（図示せず）を有する。カラーフィルタ基板７０は、表示領域７８の外側に遮光層（ブラックマトリクス）７２を有する。マザー基板６１は４枚のＴＦＴアレイ基板６０を含んでおり、それぞれの表示領域６８には、ＴＦＴ、画素電極、及びゲート信号配線やソース信号配線等の回路（図示せず）が形成されている。
カラーフィルタ基板７０及びＴＦＴアレイ基板６０の角縁部には、上述の位置決め部１０ｂが設けられている。
【００５４】
遮光層７２とカラーフィルタ基板７０の端縁部との間に、シール剤を付着させることによりシール剤層７４が形成される。表示領域７８の外側の非表示領域はできるだけ幅を狭くするのが好ましいが、遮光層７２は、表示領域７８内に不要な光が入射するのを防止するために、ある程度の幅を有するのが好ましい。遮光が不充分である場合、黒表示の品位が低下し、画質が悪くなる。これらの要求を満たすために、遮光層７２に近接させてシール剤層７４を精度良く形成する必要がある。
本実施の形態においては、カラーフィルタ基板７０の角縁部に位置決め部１０ｂを有するので、シール剤の付着精度が向上している。
【００５５】
そして、シール剤層７４の形成後、マザー基板６１をマザー基板７１に、ＴＦＴアレイ基板６０，カラーフィルタ基板７０の各位置決め部１０ｂが重なる状態で貼り合わせる。
本実施の形態においては、位置決め部１０ｂにより、貼り合わせの精度が向上している。
さらに、貼り合わされたマザー基板６１，７１から４個の表示パネル１０を切り出す場合にも位置決め部１０ｂにより精度良く切り出すことができる。
なお、位置決め部１０ｂは上述した工程以外にも用いることが可能である。
【００５６】
図１０は、他の表示パネル１０を示す一部正面図である。図中、図６と同一部分は同一符号を付して詳細な説明を省略する。
表示パネル１０の角縁部には、位置決め部１０ｃが角縁部に沿って略Ｌ字状に５個、並設されている。位置決め部１０ｃは、経年劣化が抑制されている、合成樹脂塗料等の塗料を塗布等により塗着してなる。合成樹脂塗料の色は、視認しやすい色を選択することができる。位置決め部１０ｃは位置決め部１０ｂと同様に他部より光透過性が小さく、表示パネル１０の角縁部の視認性が向上している。
従って、表示パネル１０の連結体４０の突起部４３への位置決めが容易になっており、表示パネル１０を容易に確実に前キャビネット２０の突起部４３間に嵌め込むことができる。
また、位置決め部１０ｃは、上記と同様に、表示パネル１０の製造時にも用いることができる。
なお、位置決め部１０ｃの個数は５個に限定されず、また断続的に設ける場合に限定されず、連続的に略Ｌ字状に設けることにしてもよい。
【００５７】
図１１は他の表示パネル１０を示す一部正面図である。図中、図６と同一部分は同一符号を付して詳細な説明を省略する。
表示パネル１０の角部には、位置決め部１０ｄが角縁部に沿って略Ｌ字状に５個、並設されている。位置決め部１０ｄは、基板に電極パターンを形成する場合と同様に、金属を蒸着させることにより設けられる。位置決め部１０ｄは位置決め部１０ｂ及び１０ｃと同様に他部より光透過性が小さく、表示パネル１０の角縁部の視認性が向上している。従って、表示パネル１０の突起部４３への位置決めが容易になっており、表示パネル１０を容易に確実に前キャビネット２０の突起部４３間に嵌め込むことができる。
また、位置決め部１０ｄは、上記と同様に、表示パネル１０の製造時にも用いることができる。
なお、位置決め部１０ｄは５個に限定されず、また断続的に設ける場合に限定されず、２つの突起部４３に沿うように略Ｌ字状に設けることにしてもよい。
【００５８】
今回開示した実施の形態は、全ての点で例示であって、制限的なものではないと考えられるべきである。本発明の範囲は、特許請求の範囲内での全ての変更及び特許請求の範囲と均等の範囲が含まれることが意図される。
【符号の説明】
【００５９】
１  ＴＶ受信機
１０  表示パネル（表示部）
１０ａ  表示面
１０ｂ、１０ｃ、１０ｄ  位置決め部
２０  前キャビネット（枠体）
２０１  横枠（枠部材）
２０２  縦枠（枠部材）
２１  前板部
２１ａ  縁部分
２２  側板部
２２ａ  係止溝
２３  光源載置部
２５  突条部
２５ａ  先端部
２６  突条部
２６ａ  先端部
２７ａ  ネジ孔
４０  連結体
４１  切欠部
４１ａ  奥側端部
４２  切欠部
４２ａ  奥側端部
４３  突起部
４３ａ  面取部
４４  突出片
４５  突出片
４５ａ  貫通孔
４６  隠蔽部
４７  ネジ
４９  縁板部
６０  ＴＦＴアレイ基板
７０  カラーフィルタ基板
６８、７８  表示領域
１００  表示装置
２００  チューナ
【図１】
2013219689.tif 000003
【図２】
2013219689.tif 000004
【図３】
2013219689.tif 000005
【図４】
2013219689.tif 000006
【図５】
2013219689.tif 000007
【図６】
2013219689.tif 000008
【図７】
2013219689.tif 000009
【図８】
2013219689.tif 000010
【図９】
2013219689.tif 000011
【図１０】
2013219689.tif 000012
【図１１】
2013219689.tif 000013